(57)【要約】【課題】  ラジエータを備え、大きな取り付けスペースを必要とせず、かつ、取り付け作業も簡単な液冷システムを提供すること。【解決手段】  筐体内に発熱素子を備えた電子機器の液例システムを構成する、冷却ジャケット５００からの液体冷媒を流入して発熱を外部へ放出するラジエータは、内部に液体冷媒を通流させて表面から熱を放出する放熱部材（ラジエータ部）１００と、放熱部材（ラジエータ部）に強制的に冷却風を供給する電動ファン２００と、そして、冷却ジャケットを含む液例システム内で液体冷媒を循環する循環ポンプ３００と共に、液体冷媒の一部をその内部に貯留するタンク４００を備えており、一体に構成されている。【選択図】      図１
2006234255.tif 000002
【特許請求の範囲】
【請求項１】
筐体内に発熱素子を備えた電子機器の液冷システムを構成するラジエータにおいて、
内部に前記液体冷媒を通流させ、その表面から前記発熱素子の熱を放出する放熱部材と、前記放熱部材に強制的に冷却風を供給する駆動用電動機によって駆動される電動ファンと、前記液冷システム内で前記液体冷媒を循環する循環ポンプとからなり、前記循環ポンプを前記電動ファンの駆動用電動機に対向して設置するとともに、前記放熱部材と、前記電動ファンと、前記循環ポンプとを一体に構成したことを特徴とするラジエータ。
【請求項２】
前記請求項１に記載したラジエータにおいて、前記液例システム内を循環する液体冷媒の一部をその内部に貯留するためのタンクを備え、かつ、前記放熱部材、前記電動ファン、前記循環ポンプに加え、更に、前記タンクをも一体に構成したことを特徴とするラジエータ。
【請求項３】
前記請求項１又は２に記載したラジエータにおいて、前記電動ファンは、略中央部に駆動用電動機を備えた軸流ファンから構成され、前記放熱部材は、前記循環ポンプを、又は、前記循環ポンプと共に前記タンクを、その略中央部に配置して構成され、そして、前記電動ファンを前記放熱部材の一方の面に取り付けて一体に構成したことを特徴とするラジエータ。
【請求項４】
前記請求項１に記載したラジエータにおいて、前記電動ファンの電動機により、同時に、前記循環ポンプの駆動をも行うことを特徴とするラジエータ。
【請求項５】
前記請求項１に記載したラジエータにおいて、前記電動ファンのファンの回転方向は、それにより生じる冷却風が、前記電動ファンから前記放熱部材に向かうように設定されていることを特徴とするラジエータ。
【請求項６】
前記請求項１に記載したラジエータにおいて、前記放熱部材は、互いに対向して配置された一対のヘッドの間に液体冷媒の通流管を、複数本、取り付け、当該通流管の間にフィンを取り付けて構成されていることを特徴とするラジエータ。
【請求項７】
筐体内に発熱素子を備えた電子機器の液冷システムにおいて、
内部に前記液体冷媒を通流させ、その表面から前記発熱素子の熱を放出する放熱部材と、前記放熱部材に強制的に冷却風を供給する駆動用電動機によって駆動される電動ファンと、前記液体冷媒を循環し前記電動ファンの駆動用電動機に対向して設置した循環ポンプとを一体に構成したラジエータと、
前記発熱素子に熱的に接続されてその発熱を内部に通流する液体冷媒へ伝達する冷却ジャケットとからなり、
前記ラジエータと前記冷却ジャケットが配管接続されたことを特徴とする液冷システム。
【請求項８】
前記請求項７に記載した液冷システムにおいて、前記ラジエータは、更に、システム内を循環する液体冷媒の一部をその内部に貯留するためのタンクを備え、かつ、前記電動ファン、前記循環ポンプとともに前記タンクをも一体に構成したことを特徴とする液冷システム。
【発明の詳細な説明】
【技術分野】
【０００１】
本発明は、液体冷媒の効率的な冷却に適したラジエータの構造と、更には、かかるラジエータを備え、一例として、例えばパーソナルコンピュータやサーバ等に代表されるように、その内部に発熱素子である半導体集積回路素子を搭載した各種の電子機器において、当該発熱素子の冷却に適した液冷システムに関する。
【背景技術】
【０００２】
従来、パーソナルコンピュータやサーバ等に代表される電子機器では、その筐体の内部に、発熱体である、ＣＰＵ（Central Processing Unit）に代表される半導体集積回路素子を備えており、そのため、通常、当該発熱素子の正常な動作を確保するため、冷却が必要とされている。従来、かかる冷却を実現するため、一般的には、ヒートシンクと呼ばれるフィンを一体に形成した伝熱体を当該発熱素子に熱的に接続して取り付け、それに冷却風を送るファンを備えた、所謂、空冷式の冷却システムにより行われていた。
【０００３】
しかしながら、近年、上記発熱素子である半導体集積回路素子の小型化及び高集積化、更には、その高機能化に伴って、発熱素子における発熱が増大すると共に、発熱部位の局所化なども生じており、そのためにも、従来の空冷式の冷却システムに代えて、例えば、水等の冷媒を用いた、冷却効率の高い液冷式の冷却システムが注目され、かつ、採用されてきている。
【０００４】
上述した電子機器において用いられ、冷却効率の高い液冷式の冷却システムとしては、例えば、以下の特許文献１によっても知られるように、一般に、発熱体であるＣＰＵの表面に、所謂、受熱（冷却）ジャケットと呼ばれる部材を直接に搭載し、他方、この受熱ジャケットの内部に形成された流路内に液体冷媒を通流させる。即ち、ＣＰＵからの発熱を上記ジャケット内を流れる冷媒に伝達し、もって、発熱体を高効率で冷却するものである。なお、かかる液冷式の冷却システムでは、通常、上記冷却ジャケットを受熱部としてヒートサイクルが形成されており、具体的には、上記液体冷媒をサイクル内に循環させるための循環ポンプ、上記液体冷媒の熱を外部に放熱するための放熱部であるラジエータ、更には、必要に応じ、サイクルの一部に設けられた液体冷媒を貯留するための冷媒タンクを備えており、そして、これらを、例えば、金属製のチューブやゴムなどの弾性体からなるチューブを介して接続している。
【０００５】
また、以下の特許文献２によれば、放熱部を形成する流路の中央にポンプ羽根車を設置し、さらに、ファンを設置してポンプ羽根車とファンを同一のモータで駆動するようにし、もって、ファン、ポンプ、そして、放熱器を一体化したものも既に知られている。
【特許文献１】特開２００２−１８９５３５号公報
【特許文献２】特開２００２−３６８４７１号公報
【発明の開示】
【発明が解決しようとする課題】
【０００６】
ところで、冷却システム内に液体冷媒を積極的に循環する冷却方式では、特に、近年著しい、発熱素子における発熱量の増大に伴って、その冷却能力を向上するため、液体冷媒の熱を外部に放熱する放熱部、即ち、ラジエータに電動ファンを取り付けて強制的に放熱を促すことが行われている。
【０００７】
なお、従来技術によるラジエータと電動ファンの一例が、添付の図７（ａ）及び（ｂ）に示されている。ラジエータ５０は、通常、上下のヘッド５１、５２の間に複数の流路配管５３を配置し、これら流路配管５３との間には、例えば、コルゲート又は蛇腹状に形成した金属板板をフィン５４として取り付けて構成されており、その一方の表面にファン５５を取り付ける。なお、このファン５５を回転駆動するファン用モータ５６は、通常、上記ファン５５の中心部に固定される。
【０００８】
また、従来技術では、ファン５５の出口での冷却風の速度分布を考慮して、通常、図７（ｂ）に示すように、ラジエータ５０を介して、空気を吸込む位置に配置されるのが一般的である。また、これらラジエータ５０とファン５５との間での圧力を均一化するためには、通常、スペースを必要とする。そして、特に、この従来技術になるラジエータ５０とファン５５とからなる液冷媒の冷却装置では、当該ファン５５を回転駆動するためのファン用モータ５６の位置が、所謂、デッドスペースとなってしまう。即ち、図７（ｂ）の右側に示すように、ラジエータ５０の略中央部では空気の流速が遅くなり、そのため、ファン５５による冷却効果が低減してしまうこととなる。なお、図７（ｂ）の符号５７は、液冷システムのループの一部を形成するラジエータ５０へ液体冷媒を循環するための、ラジエータ５０とは個別に設けられたポンプを示している。
【０００９】
加えて、上記の従来技術になる液冷システムでは、必要に応じ、即ち、長期の使用により内部を循環する液体冷媒の減少を補充して軽減するため、冷媒タンクを設ける場合もあるが、その場合には、やはり上記ポンプ５７と同様、ラジエータ５０とは個別に設けられていた。
【００１０】
すなわち、上記からも明らかなように、従来のラジエータ５０とファン５５とからなる液冷媒の冷却装置では、冷却効果が悪く、かつ、共に液冷システムを構成するポンプ５７や冷媒タンクを一体にすることは難しく、そのため、かかる液冷システムをパーソナルコンピュータやサーバ等の電子機器の筐体に取り付ける場合、比較的大きなスペース（空き空間）を必要とし、また、取り付け作業も煩雑になるという問題点が指摘されていた。
【００１１】
そこで、本発明は、上述した従来技術における問題点に鑑みて成されたものであり、具体的には、循環する液体冷媒の冷却（放熱）効率を向上すると共に、その内部に、共に液冷システムを構成する他の構成要素であるポンプや冷媒タンクをも一体に組み込むことが可能なラジエータの新規な構成を提供すること、更には、かかる新規なラジエータを備え、大きな取り付けスペースを必要とせず、かつ、取り付け作業も簡単な液冷システムを提供することを目的とする。
【課題を解決するための手段】
【００１２】
本発明によれば、上述した目的を達成するため、まず、筐体内に発熱素子を備えた電子機器の液例システムを構成するラジエータであって、前記発熱素子の発熱を内部に流れる液体冷媒に伝達する冷却ジャケットからの液体冷媒を流入して発熱を外部へ放出するラジエータであって：内部に前記液体冷媒を通流させ、その表面から熱を放出する放熱部材（ラジエータ部）と；前記放熱部材（ラジエータ部）に強制的に冷却風を供給する駆動用電動機によって駆動される電動ファンと；そして、前記冷却ジャケットを含む液冷システム内で前記液体冷媒を循環する循環ポンプとを備えており、前記循環ポンプを前記電動ファンの駆動用電動機に対向して設置するとともに、前記放熱部材（ラジエータ部）と、前記電動ファンと、そして、前記循環ポンプとを一体に構成したラジエータが提供されている。
【００１３】
また、本発明では、前記に記載したラジエータは、更に、前記液冷システム内を循環する液体冷媒の一部をその内部に貯留するためのタンクを備えており、かつ、前記放熱部材（ラジエータ部）、前記電動ファン、前記循環ポンプに加え、更に、前記タンクをも一体に構成することが好ましい。また、前記のラジエータにおいて、前記電動ファンは、略中央部に駆動用電動機を備えた軸流ファンから構成され、前記放熱部材（ラジエータ部）は、前記循環ポンプを、又は、前記循環ポンプと共に前記タンクを、その略中央部に配置して構成され、そして、前記電動ファンを前記放熱部材（ラジエータ部）の一方の面に取り付けて一体に構成することが好ましい。
【００１４】
更に、本発明では、前記のラジエータにおいて、前記電動ファンの電動機により、同時に、前記循環ポンプの駆動をも行うことが、あるいは、前記電動ファンのファンの回転方向は、それにより生じる冷却風が、前記電動ファンから前記放熱部材（ラジエータ部）に向かうように設定すること、あるいは、前記放熱部材（ラジエータ部）は、互いに対向して配置された一対のヘッドの間に液体冷媒の通流管を、複数本、取り付け、当該通流管の間にフィンを取り付けて構成されていることが好ましい。
【００１５】
加えて、本発明によれば、やはり上述した目的を達成するために、筐体内に発熱素子を備えた電子機器のための液冷システムであって：当該発熱素子に熱的に接続されてその発熱を内部に通流する液体冷媒へ伝達する冷却ジャケットと；前記冷却ジャケットにおいて液体冷媒に伝達された熱を機器の外部へ放出する放熱部材（ラジエータ部）と；そして、前記冷却ジャケットと前記放熱部材（ラジエータ部）とを含むループ内に前記液体冷媒を循環するための循環ポンプとを備えており、前記放熱部材（ラジエータ部）は、その略中央部に、前記放熱部材（ラジエータ部）に強制的に冷却風を供給するための電動ファンを備え、かつ、前記循環ポンプと一体に構成されている液例システムが提供されている。
【００１６】
なお、本発明では、前記液例システムは、更に、システム内を循環する液体冷媒の一部をその内部に貯留するためのタンクを備えており、かつ、前記放熱部材（ラジエータ部）は、前記電動ファン、前記循環ポンプに加え、更に、前記タンクをも一体に構成することが好ましい。
【発明の効果】
【００１７】
以上に述べた本発明によれば、その内部に液冷システムを構成する他の構成要素であるポンプや冷媒タンクを含め、共に一体に組み込んだ新規な構成のラジエータによれば、循環する液体冷媒の冷却（放熱）効率を向上すると共に、大きな取り付けスペースを必要とせず、かつ、取り付け作業も簡単な液冷システムを提供することが可能になるという優れた効果を発揮する。
【発明を実施するための最良の形態】
【００１８】
以下、本発明の実施の形態について、添付の図面を用いて詳細に説明する。
まず、添付の図１は、本発明の一実施の形態になる液冷システムを構成するラジエータの全体構成が、その展開斜視図により示されている。なお、このラジエータは、例えばパーソナルコンピュータやサーバ等のように、筐体の内部に発熱する発熱素子（例えば、ＣＰＵ等）を備えた電子機器において、液体冷媒を循環することにより当該発熱素子の冷却を効率よく行う、所謂、液冷システムを、後に説明する冷却ジャケットと共に構成するものである。
【００１９】
このラジエータは、図からも明らかなように、上下に対向・離隔して配置された一対のヘッダ１０１、１０１の間に、例えば、銅やアルミニウム等の金属のように、熱伝導性の高い部材からなる配管１０２を、複数本、互いに平行に、等間隔に並べて配置して接続し、そして、これら配管１０２の間には、やはり、銅やアルミニウム等の金属のように、熱伝導性の高い部材からなる、例えばコルゲート状のフィン１０３を取り付けて構成された放熱部材（ラジエータ部）１００を備えている。また、このラジエータは、上記の放熱部材（ラジエータ部）１００に加え、当該放熱部材（ラジエータ部）に一方の面（図では裏面）には、所謂、電動式のファン２００を備えている。なお、この図では、電動式のファン２００が上記放熱部材（ラジエータ部）１００から離隔して示されているが、後にも図示するが、互いに一方の面を接触されて、一体に構成されている。なお、図中の符号１０４は、電動式のファン２００を一体に構成する場合に、例えば、ネジなどの結合部材を挿入するため、上記放熱部材（ラジエータ部）１００の角部に形成された孔である。
【００２０】
なお、上記の電動ファン２００は、図からも明らかなように、外形略矩形の板状ケース２０１の中央部に円形の通風路２０２を形成し、当該通風路の略中央部に位置するように、所謂、軸流ファン２０３を取り付けたものである。なお、図中の符号２０４は、この軸流ファン２０３を回転駆動するための電動モータであり、符号２０５は、その回転出力軸を示している。また、符号２０６は、上記軸流ファン２０３と電動モータ２０４を、通風路２０２の中央部に配置・固定するための支持部材を示している。この電動ファン２００にも、上記放熱部材（ラジエータ部）１００と同様に、その４つの角部には、挿入孔２０７が形成されている。
【００２１】
再び、上記の放熱部材（ラジエータ部）１００へ戻り、本発明では、当該放熱部材（ラジエータ部）１００の一部には、更に、やはり上記液冷システムの一部を構成する、液体冷媒の循環ポンプ３００、及び／又は、冷媒タンク４００をも一体に組み込んでいる。なお、この循環ポンプ３００は、上記液冷システム内の液体冷媒を駆動してループ内を循環させるための液体駆動用の循環ポンプである。一方、冷媒タンク４００は、例えば、５年間の製品保障期間に亘り、液体冷媒の外部への漏出をも考慮し、液冷システムが必要な冷却能力を維持するために十分な量の、液体冷媒（例えば、水、又は、プロピレングリコール等、所謂、不凍液を所定の割合で混合した水など）を保持するための冷媒貯留用のタンクである。なお、図中の符号４０１は、上記放熱部材（ラジエータ部）１００の上方ヘッダ１０１と冷媒タンク４００とを接続する配管を、４０２は、冷媒タンク４００と循環ポンプ３００とを接続する配管を示している。
【００２２】
そして、以上のように、電動ファン２００、循環ポンプ３００、冷媒タンク４００が一体に構成された放熱部材（ラジエータ部）１００は、吐出ポート１０５及び吸入ポート１０６により、液冷システムを構成する冷却ジャケットに接続される。なお、この時の状態を、添付の図４に示す。なお、この図４においても、上記図１に示したと同じ構成要素は、同じ符号で示されているが、なお、図中の符号５００は、上記した冷却ジャケットを、符号６００は、当該冷却ジャケットの下面に、例えば、伝熱性のグリース等を介して接触された、例えばＣＰＵ等の発熱素子を示している。また、図中の符号５０１、５０２は、上記放熱部材（ラジエータ部）１００の吐出ポート１０５と吸入ポート１０６を冷却ジャケット６００へ接続するための、配管チューブを示している。なお、これらの配管チューブとしては、一般的には、金属製のチューブが採用されるが、特に、その可動部分には、ブチルゴムなど、壁面からの冷媒の透過の少ない弾性体からなるチューブが採用されている。
【００２３】
次に、添付の図２には、上記図１にその内部構成を説明したラジエータ（図１の左方向から見た場合）の正面図、側面断面図、そして、（図１の右方向から見た場合の）背面図を示している。なお、ここでも、上記図１に示したと同じ構成要素は、同じ符号で示されている。そして、図２（ｂ）の矢印の方向に流入し、そして、流出する液体冷媒の流れは、図２（ｃ）の矢印で示されるように、上記放熱部材（ラジエータ部）１００において、以下のような経路で流れる。即ち、吸入ポート１０６→下側のヘッダ１０１→配管１０２→上側のヘッダ１０１→配管４０１→冷媒タンク４００→配管４０２→循環ポンプ３００→吐出ポート１０５。
【００２４】
そして、図２（ａ）から明らかなように、電動ファン２００は、その軸流ファン２０３を回転駆動する駆動用モータ２０４を、通風路２０２の略中央部に取り付けており、一方、図２（ｃ）から明らかなように、上記の放熱部材（ラジエータ部）１００では、その略中央部に、配管１０２とフィン１０３とからなる放熱部は形成されておらず、むしろ、上記循環ポンプ３００と上記冷媒タンク４００とが取り付けられて構成されている。換言すれば、電動ファン２００の駆動用モータ２０４部分に対応する部分、即ち、従来ではデッドスペースとなっていた部分に、循環ポンプ３００と冷媒タンク４００を配置する構成となっている。
【００２５】
これにより、電動ファン２００によって形成される冷却風は、ほぼその全てが、上記放熱部材（ラジエータ部）１００を構成する配管１０２とフィン１０３の放熱部を通過することから、従来技術のようにデッドスペースを作らず、ラジエータによる、より効率的な冷却を可能にしている。また、上記放熱部材（ラジエータ部）１００の略中央部に配置された循環ポンプ３００と冷媒タンク４００とを、例えば、銅やアルミニウム等の金属又はその他の熱伝導性の高い材質で形成することによれば、僅かではあるが、電動ファン２００によって形成される冷却風の一部により冷却効果が得られることとなり、好適である。
【００２６】
なお、上述したラジエータは、放熱部材（ラジエータ部）１００、電動ファン２００、循環ポンプ３００、および冷媒タンク４００を一体構造としても良いが、それぞれ別部材として、一体的に配置して構成してもよい。この場合、必要な冷却性能に応じてラジエータ全体を作り変える必要がなく、各部材ごとに必要な性能を持つ部材の組合せを変更して構成すればよい。したがって、部材の共通化が図れ、低コスト化が可能になるというメリットがある。
【００２７】
添付の図３には、上述したラジエータの構成において、電動ファン２００により形成されて放熱部材（ラジエータ部）１００へ供給される冷却風の流れが、白抜きの矢印により示されている。即ち、本発明になるラジエータでは、上記図７（ｂ）に示した従来技術における冷却風の流れとは反対の方向になるように、電動ファン２００の駆動用モータ２０４の回転方向（又は、軸流ファン２０３の羽根の傾き方向）が設定されている。なお、このように、冷却風が電動ファン２００から放熱部材（ラジエータ部）１００へ向かって流れるようにすることによれば、上記図７（ｂ）の従来技術に比較し、冷却風をより高速で放熱部材（ラジエータ部）１００へ供給することが可能となり、これによっても、より効率的なラジエータによる冷却を可能にしている。
【００２８】
また、さらに電動ファンを追加して放熱部材（ラジエータ部）の前後に配置し、プッシュ・プル方式で冷却風を流すようにしても良い。従来技術では、図７（ｂ）に示したように、プル側の電動ファンと放熱部材（ラジエータ部）の間にスペースが必要になるのに対し、本発明では、プル側の電動ファンと放熱部材（ラジエータ部）も近接して配置することができる。すなわち、さらなる、冷却風の高速化による放熱の高性能化と設置の省スペース化という特徴がより顕著に発現できる。
【００２９】
上記に詳細を説明したラジエータは、上記図４でも説明したように、発熱素子の発熱を内部に流れる液体冷媒に伝達する冷却ジャケット４００と共に液冷システムを構成するが、この液冷システムを電子機器、例えば、デスクトップ型のパーソナルコンピュータの本体部分に適用した例が、添付の図５に示されている。
【００３０】
まず、デスクトップ型のパーソナルコンピュータの本体部分は、図示のように、例えば、金属板を立方形状に形成してなる筐体７００を備えており、その前面パネル部７０１には、電源スイッチを含む各種のスイッチや接続端子やインジケータランプなどが設けられており、また、その内部には、フロッピーディスク（登録商標）やＣＤ、ＤＶＤ等の各種の外部情報記録媒体を駆動するドライバ装置７０２が、上記前面パネル部７０１に開口するように配置されている。また、図中の符号７０３は、上記筐体７００内に設けられた、例えば、ハードディスク装置からなる記憶部を示している。また、図中の参照符号７０４は、上記筐体７００の上に被せられる蓋を示している。
【００３１】
一方、上記筐体７００の背面側には、本発明になる液冷システムを備えた電子回路部７０５が配置されており、また、図中の符号７０６は、商用電源から上記ドライバ装置７０２、記憶部７０３、電子回路部７０５を含む各部に所望の電源を供給するための電源部を示している。そして、この電子回路部７０５内には、上記の冷却ジャケット５００がＣＰＵ等の発熱素子上に取り付けられており、そして、上述したように、電動ファン２００、循環ポンプ３００、冷媒タンク４００とが一体に形成された放熱部材（ラジエータ部）１００（全体で、ラジエータ）が、筐体７００の背面側に取り付けられる。
【００３２】
この図からも明らかなように、本発明になる液冷システムを電子装置に実際に組み込む場合には、発熱素子上に上記冷却ジャケット５００を取り付ける。そして、冷却ジャケット以外の他の必要な構成部品が一体となって構成されている上記のラジエータを、筐体７００の背面側に設けられた空気取り入れ用の孔又はスリットに近接して取り付ける。即ち、基本的に、上記２つの作業を行うだけの簡単な作業により、取り付けを短時間で完了することが出来る。なお、ここでは図示しないが、筐体７００の背面側には空気取り入れ用の孔又はスリットが形成されていることは言うまでもない。
【００３３】
また、ここでは、上記電動ファン２００により、上記筐体１００の外部の空気を取り入れる構成となっているが、しかしながら、これに限定されず、ラジエータを逆方向に配置し、もって、筐体７００内の空気を外部に吹き出すようにしてもよい。
【００３４】
なお、上記に説明した実施の形態では、循環ポンプ３００は、それ自体が電動モータのような駆動源を備えて内部の羽根車などを回転して液体冷媒を加圧駆動し、もって、液冷システムのサイクル内を循環させるものとして説明した。しかしながら、本発明では、かかる構成に限定されることない。
【００３５】
即ち、更に、添付の図６に示すように、上記循環ポンプ３００’の変形例では、ポンプのケース３０５内に回転羽根車３０６を設けるが、しかしながら電動モータを備えることなく、回転羽根車３０６の回転軸には、上記電動ファン２００を構成する電動モータ２０４の回転出力軸２０５が嵌合するようにしてもよい。これによれば、上記電動モータ２０４を、ファン２０３を回転駆動するためだけではなく、更に、循環ポンプ３００’の回転駆動源としても利用できることから、ラジエータ全体として、小型化、軽量化、更には、その製造コストの低減を図ることが可能となる。
【図面の簡単な説明】
【００３６】
【図１】本発明の一実施の形態になる、電子装置の冷却システムを構成するラジエータの全体構成を示す展開斜視図である。
【図２】上記ラジエータを示すための、正面図、側面断面図、そして、背面図である。
【図３】上記ラジエータにおける冷却風の流れを示す断面図である。
【図４】上記ラジエータを含む、本発明になる液冷システムの構成を示す図である。
【図５】上記ラジエータを含む液冷システムを電子装置内に組み込んだ状態を示す一部展開斜視図である。
【図６】上記本発明のラジエータの循環ポンプの変形例を示すための、一部拡大断面斜視図である。
【図７】従来技術におけるラジエータと冷却ファンを説明するための図である。
【符号の説明】
【００３７】
１００  放熱部材（ラジエータ部）
１０１  ヘッダ
１０２  配管
１０３  フィン
１０５  吐出ポート
１０６  吸入ポート
２００  電動ファン
２０３  軸流ファン
２０４  電動モータ
３００  循環ポンプ
４００  冷媒タンク
【図１】
2006234255.tif 000003
【図２】
2006234255.tif 000004
【図３】
2006234255.tif 000005
【図４】
2006234255.tif 000006
【図５】
2006234255.tif 000007
【図６】
2006234255.tif 000008
【図７】
2006234255.tif 000009